【手続補正書】
【提出日】平成18年1月11日(2006.1.11)
【手続補正１】
【補正対象書類名】特許請求の範囲
【補正対象項目名】全文
【補正方法】変更
【補正の内容】
【特許請求の範囲】
【請求項１】
１人のプレーヤーに１本のウッドゴルフクラブを適合させる方法であって、
第１ウッドゴルフクラブをプレーヤーに提供する工程であって、当該第１ウッドゴルフクラブが備える第１ウッドクラブヘッドは、第１クラブヘッド総重量、第１鉛直方向重心、第１クラブヘッドをシャフトに取り付ける取付機構、および当該取付機構によって第１クラブヘッドに取り付けられるシャフトを有するものである工程と、
上記第１ウッドゴルフクラブを使用するプレーヤーの能力を分析する工程と、
第２ウッドゴルフクラブをプレーヤーに提供する工程であって、当該第２ウッドゴルフクラブが備える第２ウッドクラブヘッドは、第２クラブヘッド総重量、第１鉛直方向重心とは異なる第２鉛直方向重心、第２クラブヘッドをシャフトに取り付ける取付機構、および当該取付機構によって第２クラブヘッドに取り付けられるシャフトを有するものである工程と、
上記第２ウッドゴルフクラブを使用するプレーヤーの能力を分析する工程と、を含む方法。
【請求項２】
上記第１ウッドゴルフクラブを提供する工程、および上記第２ウッドゴルフクラブを提供する工程は、第１クラブヘッドソール重量および第１クラブヘッドクラウン重量を有する上記第１ウッドクラブヘッドを提供する工程、および第２クラブヘッドソール重量および第２クラブヘッドクラウン重量を有する上記第２ウッドクラブヘッドを提供する工程を含んでいて、
第１ウッドクラブヘッドの外形と、第２ウッドクラブヘッドの外形とは、実質的に等しく、
第１クラブヘッドソール重量は、第２クラブヘッドソール重量よりも大きく、
第１クラブヘッドクラウン重量は、第２クラブヘッドクラウン重量よりも小さい、請求項１記載の方法。
【請求項３】
上記第２ウッドゴルフクラブを提供する工程は、
第１ウッドゴルフクラブに係る取付機構を用いて、第１ゴルフクラブヘッドから上記シャフトを取り外す工程と、
当該シャフトを、第２ウッドゴルフクラブに係る取付機構を用いて、第２ゴルフクラブヘッドに取り付ける工程とを含む、請求項１記載の方法。
【請求項４】
上記第２ゴルフクラブヘッドからシャフトを取り外す工程と、
第２ウッドゴルフクラブを使用するプレーヤーの上記能力分析に基づいて、別のシャフトを第２ゴルフクラブヘッドに取り付ける工程とをさらに含む、請求項１記載の方法。
【請求項５】
上記別のシャフトを取り付けた第２ウッドゴルフクラブを使用するプレーヤーの能力を分析する工程と、
当該分析の結果に基づいて、当該別のシャフトおよび第２クラブヘッドの組み合わせが当該プレーヤーに適しているか否かを決定する工程とをさらに含む、請求項４記載の方法。
【請求項６】
上記別のシャフトおよび第２クラブヘッドの組み合わせが当該プレーヤーに適してはいないと決定された場合には、
取付機構を用いて、第２クラブヘッドから上記他のシャフトを取り外す工程と、
取付機構を用いて、第２クラブヘッドにさらに別のシャフトを取り付ける工程と、
当該第３のシャフトを取り付けた第２ウッドゴルフクラブを使用するプレーヤーの能力を分析する工程と、をさらに含む請求項５記載の方法。
【請求項７】
上記分析の結果に基づいて、第３のシャフトおよび第２クラブヘッドの組み合わせが当該プレーヤーに適しているか否かを決定する工程とをさらに含む、請求項６記載の方法。
【請求項８】
１人のプレーヤーに１本のウッドゴルフクラブを適合させる方法であって、
あるシャフトをあるクラブヘッドに取り付けてゴルフクラブを組み立てる工程と、
当該組み立てたゴルフクラブを使用してプレーヤーのスイングを分析する工程と、
上記分析に基づいて、上記シャフトが当該プレーヤーに適しているか否かを決定する工程と、
上記シャフトが適していないと決定された場合には、上記シャフトをクラブヘッドから取り外して、当該クラブヘッドに新たなシャフトを取り付ける工程と、を含む方法。
【請求項９】
上記新たなシャフトで組み立てられたゴルフクラブを使用して上記プレーヤーのスイングを分析して、当該新たなシャフトが当該プレーヤーに適しているか否かを決定する工程をさらに含む、請求項８記載の方法。
【請求項１０】
組み立てたゴルフクラブを分析する工程は、シャフト長さが当該プレーヤーに適しているか否かを分析する工程を含む、請求項８記載の方法。
【請求項１１】
組み立てたゴルフクラブを分析する工程は、シャフト直径が当該プレーヤーに適しているか否かを分析する工程を含む、請求項８記載の方法。
【請求項１２】
組み立てたゴルフクラブを分析する工程は、シャフト材質が当該プレーヤーに適しているか否かを分析する工程を含む、請求項８記載の方法。
【請求項１３】
組み立てたゴルフクラブを分析する工程は、シャフト弾性が当該プレーヤーに適しているか否かを分析する工程を含む、請求項８記載の方法。
【請求項１４】
上記分析に基づいて、上記クラブヘッドが当該プレーヤーに適しているか否かを決定する工程と、
当該クラブヘッドが当該プレーヤーに適してはいないと決定された場合には、上記シャフトを当該クラブヘッドから取り外して、当該シャフトに新たなクラブヘッドを取り付ける工程とをさらに含む、請求項８記載の方法。
【請求項１５】
上記新たなクラブヘッドで組み立てられたゴルフクラブを使用して上記プレーヤーのスイングを分析して、当該新たなクラブヘッドが当該プレーヤーに適しているか否かを決定する工程をさらに含む、請求項１４記載の方法。
【請求項１６】
上記新たなクラブヘッドは、元のクラブヘッドと実質的に同じ外形を有する、請求項１４記載の方法。
【請求項１７】
上記新たなクラブヘッドは、元のクラブヘッドと実質的に同じ総重量を有する、請求項１４記載の方法。
【請求項１８】
上記新たなクラブヘッドは、元のクラブヘッドとは異なる重心を有する、請求項１４記載の方法。
【請求項１９】
上記新たなクラブヘッドは、元のクラブヘッドとは異なるソール重量を有する、請求項１４記載の方法。
【請求項２０】
上記新たなクラブヘッドは、元のクラブヘッドとは異なるクラウン重量を有する、請求項１４記載の方法。
【請求項２１】
上記新たなクラブヘッドは、元のクラブヘッドとは異なるロフト角を有する、請求項１４記載の方法。
【請求項２２】
ゴルフクラブヘッドを作る方法であって、
当該クラブヘッドの総重量を決定する工程と、
当該クラブヘッドの全体サイズを決定する工程と、
当該クラブヘッドの重心を決定する工程と、
決定した上記総重量および全体サイズを有するクラブヘッドを製造する工程と、
上記決定した重心を実現するために、クラブヘッドのソール厚さを変更する工程と、を含む方法。
【請求項２３】
上記重心を決定する工程では、上記クラブヘッドが高い重心を有するよう決定され、
上記クラブヘッドのソール厚さを変更する工程では、ソールプレートがより薄くされる、請求項２２記載の方法。
【請求項２４】
上記重心を決定する工程では、上記クラブヘッドが低い重心を有するよう決定され、
上記クラブヘッドのソール厚さを変更する工程では、ソールプレートがより厚くされる、請求項２２記載の方法。
【請求項２５】
上記重心を決定する工程では、上記クラブヘッドが中間の重心を有するよう決定され、
上記クラブヘッドのソール厚さを変更する工程では、ソールプレートが中間の厚みとされる、請求項２２記載の方法。
【請求項２６】
上記決定した重心を実現するために、クラブヘッドのクラウン厚さを変更する工程をさらに含む、請求項２２記載の方法。
【請求項２７】
上記重心を決定する工程では、上記クラブヘッドが高い重心を有するよう決定され、
上記クラブヘッドのクラウン厚さを変更する工程では、クラウンプレートがより厚くされる、請求項２６記載の方法。
【請求項２８】
上記重心を決定する工程では、上記クラブヘッドが低い重心を有するよう決定され、
上記クラブヘッドのクラウン厚さを変更する工程では、クラウンプレートがより薄くされる、請求項２６記載の方法。
【請求項２９】
上記重心を決定する工程では、上記クラブヘッドが中間の重心を有するよう決定され、
上記クラブヘッドのクラウン厚さを変更する工程では、クラウンプレートが中間の厚みとされる、請求項２６記載の方法。
【請求項３０】
上記クラウン厚さを変更する工程では、クラウンの厚みがクラウン全体に渡って変更される、請求項２６記載の方法。
【請求項３１】
上記ソール厚さを変更する工程では、ソールプレートの厚みがソール全体に渡って変更される、請求項２２記載の方法。
【請求項３２】
ゴルフクラブヘッドを作る方法であって、
当該クラブヘッドの総重量を決定する工程と、
当該クラブヘッドの全体サイズを決定する工程と、
当該クラブヘッドの重心を決定する工程と、
決定した上記総重量および全体サイズを有するクラブヘッドを製造する工程と、
上記決定した重心を実現するために、クラブヘッドのソールにソールウエイトを挿入する工程と、を含む方法。
【請求項３３】
上記重心を決定する工程では、上記クラブヘッドが高い重心を有するよう決定され、
上記クラブヘッドのソールプレートにソールウエイトを挿入する工程では、より軽いソールウエイトがソールプレートに挿入される、請求項３２記載の方法。
【請求項３４】
上記重心を決定する工程では、上記クラブヘッドが低い重心を有するよう決定され、
上記クラブヘッドのソールプレートにソールウエイトを挿入する工程では、より重いソールウエイトがソールプレートに挿入される、請求項３２記載の方法。
【請求項３５】
上記重心を決定する工程では、上記クラブヘッドが中間の重心を有するよう決定され、
上記クラブヘッドのソールプレートにソールウエイトを挿入する工程では、中間の重さのソールウエイトがソールプレートに挿入される、請求項３２記載の方法。
【請求項３６】
上記決定した重心を実現するために、上記クラブヘッドのクラウンにクラウンインサートを挿入する工程をさらに含む、請求項３２記載の方法。
【請求項３７】
上記重心を決定する工程では、上記クラブヘッドが高い重心を有するよう決定され、
上記クラブヘッドのクラウンにクラウンウエイトを挿入する工程では、より重いクラウンウエイトがクラウンに挿入される、請求項３６記載の方法。
【請求項３８】
上記重心を決定する工程では、上記クラブヘッドが低い重心を有するよう決定され、
上記クラブヘッドのクラウンにクラウンウエイトを挿入する工程では、より軽いクラウンウエイトがクラウンに挿入される、請求項３６記載の方法。
【請求項３９】
上記重心を決定する工程では、上記クラブヘッドが中間の重心を有するよう決定され、
上記クラブヘッドのクラウンにクラウンウエイトを挿入する工程では、中間の重さのクラウンウエイトがクラウンに挿入される、請求項３６記載の方法。
【請求項４０】
所望の重心と、
上記所望の重心を得るために厚みを変更可能なクラウンと、
上記所望の重心を得るために厚みを変更可能なソールプレートと、を備えるクラブヘッド。
【請求項４１】
上記クラウンの全体に渡って厚みが変更可能である、請求項４０記載のクラブヘッド。
【請求項４２】
低い所望の重心を得るために、上記クラウンを全体に渡って薄くすることができる、請求項４０記載のクラブヘッド。
【請求項４３】
高い所望の重心を得るために、上記クラウンを全体に渡って厚くすることができる、請求項４０記載のクラブヘッド。
【請求項４４】
中間の所望の重心を得るために、上記クラウンを全体に渡って中間厚みにすることができる、請求項４０記載のクラブヘッド。
【請求項４５】
上記ソールプレートの全体に渡って厚みが変更可能である、請求項４０記載のクラブヘッド。
【請求項４６】
低い所望の重心を得るために、上記ソールプレートを全体に渡って厚くすることができる、請求項４０記載のクラブヘッド。
【請求項４７】
高い所望の重心を得るために、上記ソールプレートを全体に渡って薄くすることができる、請求項４０記載のクラブヘッド。
【請求項４８】
中間の所望の重心を得るために、上記ソールプレートを全体に渡って中間厚みにすることができる、請求項４０記載のクラブヘッド。
【請求項４９】
シャフトの端部に固定されたホーゼルフィッティングを受け入れるようサイズ決めされた孔部をさらに備える、請求項４０記載のクラブヘッド。
【請求項５０】
上記孔部にシャフトが挿入されたとき、当該シャフトがクラブヘッドに対して適正な方向を向くように孔部の方向が決められている、請求項４９記載のクラブヘッド。
【請求項５１】
上記シャフトをクラブヘッドに固定する固定具を受け入れる形状とされた開口をさらに備えている、請求項４９記載のクラブヘッド。
【請求項５２】
上記固定具がシャフトに固定されたときに、ソールプレートを超えて固定具が突出しないように、上記ソールプレートが上記開口の周囲において凹んでいる、請求項５１記載のクラブヘッド。
【請求項５３】
所望の重心と、
上記所望の重心を得るために、所定ウエイトのインサートを受け入れるフィッティングを備えたクラウンと、
上記所望の重心を得るために、所定ウエイトのインサートを受け入れるフィッティングを備えたソールプレートと、を備えるクラブヘッド。
【請求項５４】
低い所望の重心を得るために、上記クラウンのフィッティングに挿入されるウエイトがより軽い、請求項５３記載のクラブヘッド。
【請求項５５】
高い所望の重心を得るために、上記クラウンのフィッティングに挿入されるウエイトがより重い、請求項５３記載のクラブヘッド。
【請求項５６】
中間の所望の重心を得るために、上記クラウンのフィッティングに挿入されるウエイトが中間の重さである、請求項５３記載のクラブヘッド。
【請求項５７】
低い所望の重心を得るために、上記ソールプレートのフィッティングに挿入されるウエイトがより重い、請求項５３記載のクラブヘッド。
【請求項５８】
高い所望の重心を得るために、上記ソールプレートのフィッティングに挿入されるウエイトがより軽い、請求項５３記載のクラブヘッド。
【請求項５９】
中間の所望の重心を得るために、上記ソールプレートのフィッティングに挿入されるウエイトが中間の重さである、請求項５３記載のクラブヘッド。
【請求項６０】
シャフトの端部に固定されたホーゼルフィッティングを受け入れるようサイズ決めされた孔部をさらに備える、請求項５３記載のクラブヘッド。
【請求項６１】
上記孔部にシャフトが挿入されたとき、当該シャフトがクラブヘッドに対して適正な方向を向くように孔部の方向が決められている、請求項５３記載のクラブヘッド。
【請求項６２】
上記シャフトをクラブヘッドに固定する固定具を受け入れる形状とされた開口をさらに備えている、請求項５３記載のクラブヘッド。
【請求項６３】
上記固定具がシャフトに固定されたときに、ソールプレートを超えて固定具が突出しないように、上記ソールプレートが上記開口の周囲において凹んでいる、請求項６２記載のクラブヘッド。